(57)【要約】【課題】  本考案は、靴の内部に配設してマイナスイオンを大量に発生させることにより、靴の内部に細菌が繁殖するのを抑えたり、除菌や消臭等を確実に行うことができる靴用マイナスイオン発生装置を提供する。【解決手段】  靴用マイナスイオン発生装置１０を構成するクッション収容ケース体１２の内部にはマイナスイオン発生クッション１６が収容されている。このマイナスイオン発生クッション１６はスポンジにマイナスイオン発生材２０を塗布して形成されている。前記クッション収容ケース体１２の上面１２Ａには空気取入孔２２が貫通形成され、上面１２Ａの内側には空気取入孔２２に対応して空気取入調節弁２４が配設されている。クッション収容ケース体１２の先端面には突出パイプ部２６が連続して一体形成され、突出パイプ部２６には空気移送パイプ２８が連結されている。【選択図】  図１
0003107138.tif 000002
【実用新案登録請求の範囲】
【請求項１】
靴の内部に配設されて靴の内部にマイナスイオンを発生させる靴用マイナスイオン発生装置であって、弾性体で形成されたクッション収容ケース体と、このクッション収容ケース体に収容されたマイナスイオン発生クッションと、このマイナスイオン発生クッションに塗布されたマイナスイオン発生材と、前記クッション収容ケース体の上面に貫通形成された空気取入孔と、前記クッション収容ケース体に連結された空気移送パイプと、を有してなることを特徴とする靴用マイナスイオン発生装置。
【請求項２】
靴の内部に配設される靴用マイナスイオン発生装置であって、弾性体で形成されたクッション収容ケース体と、このクッション収容ケース体の内部に形成されたクッション収容部と、このクッション収容部に収容されたマイナスイオン発生クッションと、このマイナスイオン発生クッションに塗布されたマイナスイオン発生材と、前記クッション収容ケース体の上面に貫通形成された空気取入孔と、この空気取入孔に取り付けられて前記クッション収容ケース体に圧力が加わると前記空気取入孔を閉じクッション収容ケース体から圧力が排除されると前記空気取入孔を開く空気取入調節弁と、前記クッション収容ケース体に連結された空気移送パイプと、を有してなることを特徴とする靴用マイナスイオン発生装置。
【請求項３】
靴の内部に配設される靴用マイナスイオン発生装置であって、弾性体で形成されたクッション収容ケース体と、このクッション収容ケース体の内部に形成されたクッション収容部と、このクッション収容部に収容されたマイナスイオン遠赤外線発生クッションと、このマイナスイオン遠赤外線発生クッションに塗布されたマイナスイオン発生材と遠赤外線発生材と、前記クッション収容ケース体の上面に貫通形成された空気取入孔と、この空気取入孔に取り付けられて前記クッション収容ケース体に圧力が加わると前記空気取入孔を閉じクッション収容ケース体から圧力が排除されると前記空気取入孔を開く空気取入調節弁と、前記クッション収容ケース体に連結された空気移送パイプと、を有してなることを特徴とする靴用マイナスイオン発生装置。
【請求項４】
前記空気移送パイプの内周面にマイナスイオン発生材を塗布したことを特徴とする請求項１、請求項２、請求項３記載の靴用マイナスイオン発生装置。
【考案の詳細な説明】
【技術分野】
【０００１】
本考案は、主に短靴や長靴等の靴の内部に配設されて靴の内部にマイナスイオンを大量に発生させることにより靴の内部に細菌が繁殖するのを抑えたり除菌や消臭等を行うことができる靴用マイナスイオン発生装置に関する。
【背景技術】
【０００２】
マイナスイオンが細菌の繁殖を抑えたり、除菌効果、消臭効果等を有していることは従来から広く知られている。このため、マイナスイオンを利用して細菌の繁殖を抑えたり、除菌、消臭等を行うことが色々な分野において行われている。
ところで、靴を履くと靴の内部は足からの発汗や汗に含まれている老廃物や体温等によって高温多湿状態になるため、靴の内部は水虫菌等をはじめとする多種類の細菌が繁殖し易い状態になると共に靴の内部には嫌な臭いが発生するようになる。
そこで、靴の内部に配設される靴中敷をマイナスイオンを発生させる微弱放射性鉱物等を添加してなるマイナスイオン添加繊維で形成したり、靴中敷にマイナスイオンを発生させるマイナスイオン発生塗料を塗布する等して、靴の内部に細菌が繁殖するのを抑えたり、あるいは発生した細菌を除菌したり嫌な臭いを消臭したりする靴が提案されている。
しかし、微弱放射性鉱物を添加してなるマイナスイオン添加繊維で形成された靴中敷やマイナスイオン発生塗料を塗布加工してなる等靴中敷は、そこで発生するマイナスイオンの発生量は圧力等が加わらない、又は空気の移動が少ない等の条件となり約５０〜約５００／ｃｃと少量である。
このため、前記靴中敷を形成するマイナスイオン添加繊維や靴中敷に塗布されたマイナスイオン発生塗料から発生するマイナスイオンの発生量では靴の内部で細菌が繁殖するのを抑えたり、あるいは除菌、消臭等を十分に行うことができないという不具合がある。
【考案の開示】
【考案が解決しようとする課題】
【０００３】
本考案は、上記事実に鑑みなされたものであり靴の内部に配設してマイナスイオンを大量に発生させることにより、靴の内部に細菌が繁殖するのを抑えたり、除菌や消臭等を確実に行うことができる靴用マイナスイオン発生装置を提供するものである。
【課題を解決するための手段】
【０００４】
請求項１の考案は、靴の内部に配設されて靴の内部にマイナスイオンを発生させる靴用マイナスイオン発生装置であって、弾性体で形成されたクッション収容ケース体と、このクッション収容ケース体に収容されたマイナスイオン発生クッションと、このマイナスイオン発生クッションに塗布されたマイナスイオン発生材と、前記クッション収容ケース体の上面に貫通形成された空気取入孔と、前記クッション収容ケース体に連結された空気移送パイプと、を有してなることを特徴としている。
請求項２の考案は、靴の内部に配設される靴用マイナスイオン発生装置であって、弾性体で形成されたクッション収容ケース体と、このクッション収容ケース体の内部に形成されたクッション収容部と、このクッション収容部に収容されたマイナスイオン発生クッションと、このマイナスイオン発生クッションに塗布されたマイナスイオン発生材と、前記クッション収容ケース体の上面に貫通形成された空気取入孔と、この空気取入孔に取り付けられて前記クッション収容ケース体に圧力が加わると前記空気取入孔を閉じクッション収容ケース体から圧力が排除されると前記空気取入孔を開く空気取入調節弁と、前記クッション収容ケース体に連結された空気移送パイプと、を有してなることを特徴としている。
請求項３の考案は、靴の内部に配設される靴用マイナスイオン発生装置であって、弾性体で形成されたクッション収容ケース体と、このクッション収容ケース体の内部に形成されたクッション収容部と、このクッション収容部に収容されたマイナスイオン遠赤外線発生クッションと、このマイナスイオン遠赤外線発生クッションに塗布されたマイナスイオン発生材と遠赤外線発生材と、前記クッション収容ケース体の上面に貫通形成された空気取入孔と、この空気取入孔に取り付けられて前記クッション収容ケース体に圧力が加わると前記空気取入孔を閉じクッション収容ケース体から圧力が排除されると前記空気取入孔を開く空気取入調節弁と、前記クッション収容ケース体に連結された空気移送パイプと、を有してなることを特徴としている。
請求項４の考案は、前記空気移送パイプの内周面にマイナスイオン発生材を塗布したことを特徴としている。
【考案の効果】
【０００５】
請求項１、請求項２の考案は、靴の内部に配設されて靴の内部に大量のマイナスイオンを発生させることができるので、靴内部の細菌の繁殖を抑えたり、あるいは除菌、消臭を確実に行うことができるという優れた効果を有する。
請求項３の考案は、前記優れた効果の他に遠赤外線を発生させることができるので、遠赤外線が輻射されて足の細胞の原子・分子を次々に振動励起させて保温効果をもたらすと共に細胞の活性化を図ることができるという優れた効果を有する。
請求項４の考案は、靴の内部に配設されて靴の内部に極めて大量のマイナスイオンを発生させることができるので、靴内部の細菌の繁殖を抑えたり、あるいは除菌、消臭をより確実に行うことができるという優れた効果を有する。
【考案を実施するための最良の形態】
【０００６】
考案を実施するために最良の形態の例として以下のような実施例を示す。
【実施例１】
【０００７】
図１〜図６には本考案に係わる靴用マイナスイオン発生装置の第１実施例が示されている。
図１及び図２に示されるように、靴用マイナスイオン発生装置１０を構成するクッション収容ケース体１２は弾性体で扁平な箱状に形成されている。この弾性体は力を加えると押し潰されるが力を排除すると弾性復帰する性質を備えている。この実施例では前記弾性体として合成樹脂材のポリプロピレンが使用されている。
前記クッション収容ケース体１２の内部にはクッション収容部１４が形成されている。このクッション収容部１４にはマイナスイオン発生クッション１６が収容されている。
図４に示されるように、このマイナスイオン発生クッション１６は弾性体としてのスポンジにマイナスイオン発生材２０を塗布して形成されている。このマイナスイオン発生材２０の主原料はマイナスイオンを発生させる天然の微弱放射線鉱物を細かく粉砕してパウダー状にしたものと、遠赤外線を発生させる遠赤外線放射性鉱物を細かく粉砕してパウダー状にしたものを混合調合したものである。
図１及び図２に示されるように、前記クッション収容ケース体１２の上面１２Ａには円形の空気取入孔２２が貫通形成されている。
図５に示されるように、前記クッション収容ケース体１２の上面１２Ａの内側には空気取入孔２２に対応して薄いシートで形成された空気取入調節弁２４が配設されている。この空気取入調節弁２４は一端部２４Ａだけがクッション収容ケース体１２の上面１２Ａの内側面に接着されている。従って、前記クッション収容ケース体１２に圧力が加わると前記空気取入調節弁２４は前記上面１２Ａの内側に密着して空気取入孔２２を閉じるが、クッション収容ケース体１２に加わっていた圧力が排除された際は前記空気取入調節弁２４は一端部２４Ａを除いて前記上面１２Ａの内側から離れる（図５に想像線で示す）ので空気取入孔２２は開いた状態になり、空気がクッション収容ケース体１２に入り込むようになっている。
図１に示されるように、前記クッション収容ケース体１２の先端面には突出パイプ部２６が連続して一体形成されている。この突出パイプ部２６には細長い空気移送パイプ２８の基端部２８Ａが差し込まれて着脱可能に連結されている。
従って、前記クッション収容ケース体１２を踏む等してクッション収容ケース体１２に圧力が加わるとクッション収容ケース体１２内の空気は空気移送パイプ２８を通過して空気移送パイプ２８の先端部２８Ｂから靴１（図６参照）の内部に排出されるようになっている。
【０００８】
次に、第１実施例の靴用マイナスイオン発生装置１０の作用について説明する。
図６に示されるように、靴１の靴底部２の上面２Ａには靴用マイナスイオン発生装置１０が収容される靴用マイナスイオン発生装置収容溝３が刻設されている。この靴用マイナスイオン発生装置収容溝３の後部は靴用マイナスイオン発生装置１０のクッション収容ケース体１２が収容される幅の広いクッション収容ケース体収容部３Ａとされ、中間部から前部にかけては空気移送パイプ２８が収容される幅の狭い空気移送パイプ収容部３Ｂとされている。
前記靴用マイナスイオン発生装置１０を靴１の内部に配設する場合はクッション収容ケース体１２をクッション収容ケース体収容部３Ａに配設して、空気移送パイプ２８を空気移送パイプ収容部３Ｂに配設する。そして、この状態で靴中敷４を配設すると靴中敷４は靴底部２の上面２Ａに載置されると共に前記靴用マイナスイオン発生装置１０を覆うようになっている。
なお、靴用マイナスイオン発生装置１０を靴用マイナスイオン発生装置収容溝３に収容した場合、前記クッション収容ケース体１２は靴底部２の上面２Ａより少し突出するが、空気移送パイプ２８は空気移送パイプ収容部３Ｂに完全に収容されるようになっている。
従って、靴１を履いて歩いても前記クッション収容ケース体１２は踵によって押圧されて潰れるが、空気移送パイプ２８は影響を受けず潰れないようになっている。
この状態で前記靴１を履いて歩いて、靴１の靴底部２の底面２Ｂが着地するとクッション収容ケース体１２は踵に踏まれるため図３に示されるように靴用マイナスイオン発生装置１０のクッション収容ケース体１２とマイナスイオン発生クッション１６は押し潰される。
このため、マイナスイオン発生クッション１６に塗布されたマイナスイオン発生材２０（ここでは上述したように微弱放射性鉱物パウダーと遠赤外線放射性鉱物パウダーの混合調合パウダーを実施例としている）から放射される放射線により、クッション収容ケース体１２内で押し潰された空気分子は、その圧力や圧縮に伴う対流や摩擦等の諸条件も加わり攪拌状態となり、それらの影響で放射線と空気分子数量の衝突頻度が増大する。それに伴い空気分子の電離作用によるマイナスイオン発生数の頻度を増大させることができる（頻度が瞬時に増大する）。
これに伴いクッション収容ケース体１２内ではマイナスイオン発生材２０周辺の空気がマイナスイオン化するのでクッション収容ケース体１２の内部では大量のマイナスイオンが発生する。
前記クッション収容ケース体１２内で大量発生したマイナスイオンはポンプで押し出されるような状態となり空気と共にクッション収容ケース体１２から押し出されて空気移送パイプ２８を介して空気移送パイプ２８の先端部２８Ｂから靴１（図６参照）の内部に排出されることになる。
なお、出願人が実際に靴用マイナスイオン発生装置１０のクッション収容ケース体１２を踵で踏みつけてマイナスイオンの発生実験を複数回行ったところマイナスイオンの発生量は約３，０００〜約６，０００個／ｃｃと大量のマイナスイオンが空気移送パイプ２８から排出されることが証明された。
従って、前記靴用マイナスイオン発生装置１０から靴１の内部には約３，０００〜約６，０００個／ｃｃという大量のマイナスイオンが次々に送り出されてくるので大量のマイナスイオンが靴１の内部の細菌の繁殖を確実に抑えたり、あるいは除菌や消臭等を確実に行うことができる。
また、靴１の靴底部２の底面２Ｂが地面から離間すると、踵が前記クッション収容ケース体１２を押さなくなるため、前記クッション収容ケース体１２とマイナスイオン発生クッション１６は弾性復帰する。このクッション収容ケース体１２とマイナスイオン発生クッション１６の弾性復帰に伴い空気取入調節弁２４が空気取入孔２２を開いて靴１の内部の空気が前記クッション収容部１４に取り込まれる。
従って、靴用マイナスイオン発生装置１０のクッション収容ケース体１２とマイナスイオン発生クッション１６が押し潰されては弾性復帰することを繰り返すことにより、靴１の内部の空気はクッション収容ケース体１２を通過して押し出されることになるので、空気と共に押し出された大量のマイナスイオンが靴１の内部の細菌の繁殖を確実に抑えたり、靴１の内部を確実に除菌、消臭等することができる。
なお、前記靴用マイナスイオン発生装置１０を靴用マイナスイオン発生装置収容溝３に収容した場合、前記クッション収容ケース体１２は靴底部２の上面２Ａより少し突出するが、前記クッション収容ケース体１２の突出長さは僅かであり、しかも靴用マイナスイオン発生装置１０の上には靴中敷４が配設されているので、靴１を履いた場合に靴１の履き心地が低下するようなことはない。
【実施例２】
【０００９】
図７には本考案に係わる靴用マイナスイオン発生装置の第２実施例が示されている。なお、第１実施例の靴用マイナスイオン発生装置１０と同一の構成は同一の符号を用いて説明する。
図７に示されるように、第２実施例の靴用マイナスイオン発生装置３０においては前記空気移送パイプ２８の内周面にもマイナスイオン発生材２０が塗布されている。
従って、この靴用マイナスイオン発生装置３０においては前記クッション空気収容ケース体１２が踵に踏まれる等して前記クッション収容ケース体１２の内部に大量に発生したマイナスイオンを含む空気がポンプで押し出されるようにして空気移送パイプ２８に勢いよく流れてくると空気移送パイプ２８の内周面に塗布されているマイナスイオン発生材２０にも圧力が加わる。このため、クッション収容ケース体１２の内部で大量のマイナスイオンが発生するのと同じ理由で、前記空気移送パイプ２８内でも独自に大量のマイナスイオンが発生する。
従って、前記靴用マイナスイオン発生装置３０においては前記クッション収容ケース体１２内部で大量発生したマイナスイオンは空気移送パイプ２８を通過することにより減衰することなく、空気移送パイプ２８内で新たに発生した大量のマイナスイオンが加わることにより第１実施例の靴用マイナスイオン発生装置１０よりも極めて大量のマイナスイオンを靴１の内部に排出することができる。
なお、出願人が実際に靴用マイナスイオン発生装置３０のクッション収容ケース体１２を踵で踏みつけてマイナスイオンの発生実験を複数回行ったところマイナスイオンの発生量は約３０，０００〜約５０，０００個／ｃｃと極めて大量のマイナスイオンが空気移送パイプ２８から排出されることが証明された。
従って、靴用マイナスイオン発生装置３０は靴用マイナスイオン発生装置１０よりも大量のマイナスイオンで細菌の繁殖を抑えたり、除菌、消臭等を行うことができる。
なお、他の構成及び作用、効果は第１実施例の靴用マイナスイオン遠赤外線発生装置１０と同一であるので、その説明は省略する。
【実施例３】
【００１０】
図８には本考案に係わる靴用マイナスイオン発生装置の第３実施例が示されている。なお、第１実施例の靴用マイナスイオン発生装置１０と同一の構成は同一の符号を用いて説明する。
図８に示されるように、第３実施例の靴用マイナスイオン発生装置４０のクッション収容ケース体１２のクッション収容部１４にはマイナスイオン遠赤外線発生クッション４２が収容されている。
このマイナスイオン遠赤外線発生クッション４２はスポンジにマイナスイオン遠赤外線発生材４４を塗布することにより形成されている。このマイナスイオン遠赤外線発生材４４は前記マイナスイオン発生材２０に用いられた原料と遠赤外線を発生させる遠赤外線放射性鉱物（この実施例では石英、長石、ジルコン、珪酸塩鉱物、トルマリン等を混合したもの）を細かく粉砕してパウダー状にしたものを混合調合して形成されている。
従って、この靴用マイナスイオン発生装置４０においては前記クッション収容ケース体１２が踵で踏まれる等してマイナスイオン遠赤外線発生クッション４２が押し潰されると、大量のマイナスイオンが発生して細菌の繁殖を抑えたり、除菌、消臭等を確実に行う。
また、マイナスイオン遠赤外線発生材４４はマイナスイオン発生材２０だけでなく、別途に遠赤外線発生鉱物が混合されているので、遠赤外線発生鉱物からは遠赤外線が輻射されて足の細胞の原子・分子を次々に振動励起させて保温効果をもたらすと共に細胞の活性化を図ることができるので、健康増進に大いに役立つ。
なお、前記靴用マイナスイオン発生装置４０の空気移送パイプ２８の内周面にマイナスイオン発生材２０を塗布してより大量のマイナスイオンを発生するようにしてもよいことは勿論である。
また、他の構成及び作用、効果は第１実施例の靴用マイナスイオン遠赤外線発生装置１０と同一であるので、その説明は省略する。
【００１１】
なお、実施例では靴１の靴底部２の上面２Ａに靴用マイナスイオン発生装置収容溝３を刻設して、この靴用マイナスイオン発生装置収容溝３に靴用マイナスイオン発生装置１０を配設するようにしたが、靴用マイナスイオン発生装置１０の配設方法はこれに限定されるものでなく、例えば靴底部の上面２Ａに直接置いたり、あるいは靴底部２の内部に靴用マイナスイオン発生装置１０を収容できる収容部を形成してもよいことは勿論である。
また、実施例ではマイナスイオン発生材２０をマイナスイオンを発生させる放射性鉱物を細かく粉砕してパウダー状にしたものと、遠赤外線を発生させる遠赤外線鉱物を細かく粉砕してパウダー状にしたものを調合して混合したものを示したが、マイナスイオンを発生させる放射性鉱物を細かく粉砕してパウダー状にした放射性鉱物パウダーでだけでもよい。
なお、実施例ではクッション収容ケース体１２をポリプロピレンで形成したが、これに限定されるものでなく潰されて弾性復帰する材料であれば他の材料でもよいことは勿論である。
また、実施例ではマイナスイオン発生クッション１６、マイナスイオン遠赤外線発生クッション４２はスポンジで形成したが弾性復帰する性質を有する素材であればスポンジに限定されるものでないことは勿論である。
【図面の簡単な説明】
【００１２】
【図１】第１実施例の靴用マイナスイオン発生装置の全体斜視図である。
【図２】第１実施例の靴用マイナスイオン発生装置の縦断面図である。
【図３】クッション収容ケース体が潰れた状態の第１実施例の靴用マイナスイオン発生装置の縦断面図である。
【図４】第１実施例の靴用マイナスイオン発生装置のスポンジの全体斜視図である。
【図５】第１実施例の靴用マイナスイオン発生装置の一部拡大縦断面図である。
【図６】第１実施例の靴用マイナスイオン発生装置を靴に配設した状態の縦断面図である。
【図７】第２実施例の靴用マイナスイオン発生装置の全体斜視図である。
【図８】第３実施例の靴用マイナスイオン発生装置の全体斜視図である。
【符号の説明】
【００１３】
１０    靴用マイナスイオン発生装置
１２    クッション収容ケース体
１４    クッション収容部
１６    マイナスイオン発生クッション
２０    マイナスイオン発生材
２２    空気取入孔
２４    空気取入調節弁
２６    突出パイプ部
２８    空気移送パイプ
【図１】
0003107138.tif 000003
【図２】
0003107138.tif 000004
【図３】
0003107138.tif 000005
【図４】
0003107138.tif 000006
【図５】
0003107138.tif 000007
【図６】
0003107138.tif 000008
【図７】
0003107138.tif 000009
【図８】
0003107138.tif 000010